(57)【要約】【課題】連続するＶＨＦ放送帯域とＵＨＦ放送帯域の広帯域チャンネルを受信可能な高周波受信装置を実現する。【解決手段】高周波受信装置の局部発振器５６はインダクタ６８と、このインダクタ６８と並列に、可変容量ダイオード６９とキャパシタ７０との直列接続体が接続され、可変容量ダイオード６９と並列にキャパシタ７２と７３が接続され、切り替えスイッチ７４により切り替え、また、キャパシタ７０と並列にキャパシタ７５と７６が接続され、切り替えスイッチ７７により切り替えることができる。この切り替えスイッチ７４と７７を適宜切り替えることにより、連続するＶＨＦ放送帯域とＵＨＦ放送帯域の広帯域チャンネルが受信可能となる。【選択図】  図１
2005020136.tif 000002
【特許請求の範囲】
【請求項１】
第１の周波数帯域と、この第１の周波数帯域よりも低い第２の周波数帯域の高周波信号が入力される入力端子と、この入力端子に供給された信号の中から第１の周波数帯域の高周波信号を通過させるために、第１の可変容量ダイオードの容量変化によって同調周波数が変化する第１の同調フィルタと、この第１の同調フィルタの出力がその一方の入力に供給されるとともに、その出力が出力端子に供給される第１の混合器とからなる第１の受信器と、前記入力端子に供給された信号の中から前記第２の周波数帯域の高周波信号を通過させるために、第２の可変容量ダイオードの容量変化によって同調周波数が変化する第２の同調フィルタと、この第２の同調フィルタの出力がその一方の入力に接続されるとともに、その出力が前記出力端子へ供給される第２の混合器とからなる第２の受信器と、前記第１の混合器及び前記第２の混合器それぞれの他方の入力に局部発振信号を供給するために１つの局部発振器と少なくとも１つの分周器とを有し、前記局部発振器の出力が供給されて前記局部発振器と前記第１及び第２の同調フィルタを受信チャンネルに同調制御するＰＬＬ回路とを備えた高周波受信装置において、前記局部発振器は、発振部とこの発振部の入力に接続される同調部とから成り、前記同調部は、発振用可変容量ダイオードと第１のキャパシタとの直列接続体と、この直列接続体に並列接続されたインダクタとを有し、前記ＰＬＬ回路は、前記第１の可変容量ダイオードと、前記第２の可変容量ダイオードと、前記発振用可変容量ダイオードへ同調電圧を供給し、前記同調部と前記発振部との間には発振周波数変化手段が挿入され、この発振周波数変化手段は、受信するそれぞれの周波数帯域において、前記ＰＬＬ回路から供給される同調電圧に対する前記局部発振器の発振周波数特性を微小変化させて、前記第１の周波数帯域を受信する場合には、前記第１の同調フィルタの周波数特性に連動するとともに、前記第２の周波数帯域を受信する場合には、前記第２の同調フィルタの周波数特性に連動して、予め定められた周波数だけ異なる発振信号を得る高周波受信装置。
【請求項２】
発振周波数変化手段は、発振用可変容量ダイオードと並列に接続された第２のキャパシタと、この第２のキャパシタと第１のキャパシタの夫々に接続されるとともに、受信する周波数帯域に応じて前記第１のキャパシタの値と前記第２のキャパシタの値を変化させる容量変化手段から成る請求項１に記載の高周波受信装置。
【請求項３】
第１のキャパシタは、第３のキャパシタと、この第３のキャパシタに並列に接続された第４のキャパシタとから成り、容量変化手段は、前記第４のキャパシタと発振部との間に接続されるとともに、受信する周波数帯域に応じて前記第４のキャパシタの値を選択的に切り替える切り替え手段とした請求項２に記載の高周波受信装置。
【請求項４】
第４のキャパシタは、複数のキャパシタにより構成され、容量変化手段は、前記複数のキャパシタの少なくともひとつに接続されて、受信する周波数帯域に応じて前記第３のキャパシタの値を選択的に切り替える切り替え手段とした請求項３に記載の高周波受信装置。
【請求項５】
第２のキャパシタは、複数のキャパシタより構成され、容量変化手段は、前記複数のキャパシタの少なくともひとつのキャパシタに接続されて、受信する周波数帯域に応じて前記第２のキャパシタの値を切り替える切り替え手段とした請求項２に記載の高周波受信装置。
【請求項６】
インダクタと直列に第３の可変容量ダイオードを設けた請求項２に記載の高周波受信装置。
【請求項７】
第１の周波数帯域は、ＵＨＦ放送帯域とし、第２の周波数帯域はＶＨＦ放送帯域とした請求項２に記載の高周波受信装置。
【請求項８】
分周器の分周比を、ＵＨＦ放送の信号を受信する場合には１とし、ＶＨＦ放送帯域の信号を受信する場合には１／２以下とした請求項７に記載の高周波受信装置。
【請求項９】
ＶＨＦハイバンド受信時には分周比を１／２とするとともに、局部発振器の発振周波数は、約３６０ＭＨｚから約９００ＭＨｚの範囲とした請求項８に記載の高周波受信装置。
【請求項１０】
ＶＨＦローバンド受信時に、分周比を１／４とした請求項９に記載の高周波受信装置。
【請求項１１】
ＶＨＦローバンド受信時に、分周比を１／５とした請求項９に記載の高周波受信装置。
【請求項１２】
第２の周波数帯域の信号を受信する場合には、分周器から出力される分周信号をＰＬＬ回路へ供給する請求項７に記載の高周波受信装置。
【請求項１３】
第１の可変容量ダイオードと、第２の可変容量ダイオードと、発振用可変容量ダイオードとは、略等しい容量変化特性とした請求項１に記載の高周波受信装置。
【請求項１４】
第１の可変容量ダイオードと、第２の可変容量ダイオードと、発振用可変容量ダイオードとの容量変化比の値は、受信する周波数帯域の内でその帯域幅が最も大きな周波数帯域に対し必要な容量変化比の値と略等しくした請求項１３に記載の高周波受信装置。
【請求項１５】
高周波信号を、少なくとも第１の周波数帯域と、この第１の周波数帯域より低い周波数帯域の第２の周波数帯域とに分割して受信する高周波受信装置において、前記高周波受信装置は、入力端子と、この入力端子に入力された信号が供給されるとともに、可変容量ダイオードの容量変化によって同調周波数が変化する同調フィルタと、この同調フィルタの出力がその一方の入力に供給されるとともに、他方の入力には局部発振器の出力が供給され、前記第１の周波数帯域内にある第１の信号を中間周波数へ変換する混合器と、この混合器の出力が供給される出力端子と、前記第２の周波数帯域内にある第２の信号を受信する場合に、前記第２の周波数帯域内の信号を前記中間周波数へ変換するべく前記局部発振器と前記混合器の間に設けられた分周器と、この分周器の出力と前記局部発振器の出力のいずれか一方の出力を受信する周波数帯域に応じて選択的に前記混合器へ供給する切り替えスイッチと、前記局部発振器と前記同調フィルタを受信チャンネルに同調制御するＰＬＬ回路とを備え、前記局部発振器は、発振部と、この発振部の入力に接続された同調部とから成り、この同調部は、発振用可変容量ダイオードと第１のキャパシタとの直列接続体と、この直列接続体に並列接続されたインダクタとを有し、前記ＰＬＬ回路は、前記可変容量ダイオードと、前記発振用可変容量ダイオードへと同調電圧を供給し、前記同調部と前記発振部との間には発振周波数変化手段が挿入され、この発振周波数変化手段は、受信するそれぞれの周波数帯域において、前記ＰＬＬ回路から供給される同調電圧に対する前記局部発振器の発振周波数特性を微小変化させて、前記同調フィルタの周波数特性に連動して予め定められた周波数だけ異なる発振信号を得る高周波受信装置。
【請求項１６】
高周波信号を、少なくとも第１の周波数帯域と、この第１の周波数帯域より低い周波数帯域の第２の周波数帯域とに分割して受信する高周波受信装置において、前記高周波受信装置は、入力端子と、この入力端子に入力された信号が供給されるとともに、可変容量ダイオードの容量変化によって同調周波数が変化する同調フィルタと、この同調フィルタの出力がその一方の入力に供給されるとともに、他方の入力には受信する周波数帯域に応じて分周比が変化させられる分周器の出力が接続された混合器と、この混合器の出力が供給される出力端子と、前記分周器の入力に接続された局部発振器と、前記分周器の出力信号が供給されるＰＬＬ回路とを備え、前記局部発振器は、発振部とこの発振部の入力に接続される同調部とから成り、この同調部は、発振用可変容量ダイオードと第１のキャパシタとの直列接続体と、この直列接続体に並列接続されたインダクタとを有し、前記ＰＬＬ回路は、前記局部発振器の出力が供給されるとともに、前記可変容量ダイオードと前記発振用可変容量ダイオードへと同調電圧を供給し、前記同調部には、受信するそれぞれの周波数帯域において、前記ＰＬＬ回路から供給される同調電圧に対する前記局部発振器の発振周波数特性を微小変化させて、前記同調フィルタの周波数特性に連動して予め定められた周波数だけ異なる分周器出力を得る発振周波数変化手段を有した高周波受信装置。
【請求項１７】
発振周波数変化手段は、発振用可変容量ダイオードと並列に接続された第２のキャパシタと、この第２のキャパシタと第１のキャパシタの夫々に接続されるとともに、受信する周波数帯域に応じて前記第１のキャパシタの値と前記第２のキャパシタの値を変化させる容量変化手段から成る請求項１６に記載の高周波受信装置。
【請求項１８】
分周器は、複数の分周器より構成され、これら複数の分周器には、混合器へ入力される信号を受信する周波数帯域に応じて選択的に切り替える切り替えスイッチが接続された請求項１６に記載の高周波受信装置。
【請求項１９】
第１の周波数帯域は、ＵＨＦ放送帯域とし、第２の周波数帯域はＶＨＦ放送帯域とした請求項１６に記載の高周波受信装置。
【請求項２０】
分周器の分周比を、第１の周波数帯域の信号を受信する場合には１とし、第２の周波数帯域の信号を受信する場合には１／２以下とした請求項１６に記載の高周波受信装置。
【請求項２１】
第１の周波数帯域は、ＶＨＦハイバンド放送帯域とし、第２の周波数帯域はＶＨＦローバンド放送帯域とした請求項１６に記載の高周波受信装置。
【請求項２２】
分周器の分周比を、第１の周波数帯域の信号を受信する場合には１／２以下とするとともに、第２の周波数帯域の信号を受信する場合には前記第１の周波数帯域の信号を受信する場合の分周比よりも大きくした請求項１６に記載の高周波受信装置。
【請求項２３】
分周器の分周比は、ＶＨＦハイバンド放送帯域の信号受信時に１／２とするとともに、ＶＨＦローバンド放送の帯域信号受信時に１／４とする請求項２１に記載の高周波受信装置。
【請求項２４】
分周器の分周比は、ＶＨＦハイバンド放送帯域の信号受信時に１／２とするとともに、ＶＨＦローバンド放送帯域の信号受信時に１／５とする請求項２１に記載の高周波受信装置。
【請求項２５】
分周器は、局部発振器の出力周波数を１／２に分周する第１の固定分周器と、この第１の固定分周器の出力がその共通端子に接続されるとともにその一方の出力が混合器の他方の端子へ接続された切り替えスイッチと、この切り替えスイッチの他方の端子と前記混合器の他方の端子との間に挿入されて前記第１の固定分周器の出力信号をさらに１／２に分周する第２の固定分周器とを有した請求項１６に記載の高周波受信装置。
【請求項２６】
同調フィルタは、第１の周波数帯域内の周波数に同調する第１の同調フィルタと、この第１の同調フィルタと並列に設けられるとともに第２の周波数帯域内の周波数に同調する第２の同調フィルタとからなる請求項１１に記載の高周波受信装置。
【請求項２７】
請求項１に記載の高周波受信装置を形成する第１の混合器と第２の混合器とＰＬＬ回路と発振部と分周器と発振周波数変化手段とが集積化されたことを特徴とする集積回路。
【請求項２８】
請求項２に記載の高周波受信装置を形成する第１の混合器と第２の混合器とＰＬＬ回路と発振部と分周器と容量変化手段とが集積化されたことを特徴とする集積回路。
【請求項２９】
請求項３に記載の高周波受信装置を形成する第１の混合器と第２の混合器とＰＬＬ回路と発振部と分周器と切り替え手段とが集積化されたことを特徴とする集積回路。
【請求項３０】
請求項４に記載の高周波受信装置を形成する第１の混合器と第２の混合器とＰＬＬ回路と発振部と分周器と切り替え手段とが集積化されたことを特徴とする集積回路。
【請求項３１】
請求項３と請求項５に記載の高周波受信装置を形成するＰＬＬ回路と発振部と分周器と切り替え手段とが、少なくとも集積化された集積回路において、前記集積回路における前記発振部と同調部を接続する接続端子の配置は、発振用可変容量ダイオードと第１のキャパシタとの直列接続体と、この直列接続体と並列に接続されたインダクタの両端が接続される接続端子の間に第２及び第４のキャパシタを接続する接続端子を配置した集積回路。
【請求項３２】
請求項１５に記載の高周波受信装置を形成する混合器とＰＬＬ回路と発振部と分周器とが、少なくとも集積化されたことを特徴とする集積回路。
【請求項３３】
請求項１６に記載の高周波受信装置を形成する混合器とＰＬＬ回路と発振部と分周器とが、少なくとも集積化されたことを特徴とする集積回路。
【請求項３４】
請求項１７に記載の高周波受信装置を形成する混合器とＰＬＬ回路と発振部と分周器と容量変化手段とが、少なくとも集積化されたことを特徴とする集積回路。
【発明の詳細な説明】
【０００１】
【発明の属する技術分野】
本発明は、テレビジョン受信チューナ等に用いられる高周波受信装置とそれに用いる集積回路に関するものである。
【０００２】
【従来の技術】
以下、従来の高周波受信装置について図面を用いて説明する。図６は従来の高周波受信装置のブロック図である。
【０００３】
図６において１は入力端子である。この入力端子１には５５．２５ＭＨｚから８０１．２５ＭＨｚまでの高周波信号が入力される。２は、入力端子１に入力された高周波信号が供給されるとともに、１つの可変容量ダイオードから構成された単同調型のフィルタである。この単同調フィルタ２の同調周波数は、ＵＨＦ放送帯域（３６７．２５ＭＨｚから８０１．２５ＭＨｚ）の間であり、その周波数可変端子２ａに供給される同調電圧を利用して同調周波数を変化させるものである。
【０００４】
３は単同調フィルタ２の出力が接続された高周波増幅器であり、このＵＨＦ放送帯域の信号を増幅させるものである。４は高周波増幅器３の出力が接続された複同調フィルタである。この複同調フィルタ４は２つの可変容量ダイオードから構成され、周波数可変端子４ａに供給される同調電圧を利用して同調周波数を変化させるものである。
【０００５】
５は混合器であり、複同調フィルタ４の出力信号がその一方に入力されるとともに、局部発振器６の出力信号が分周器７を介してその他方に入力される。この混合器５は、複同調フィルタ４を通過したＵＨＦ放送帯域の信号と、局部発振器６の発振信号とを混合し、中間周波信号４５．７５ＭＨｚへ変換するものである。８は、混合器５の出力が接続された中間周波フィルタであり、占有帯域６ＭＨｚで不要信号を減衰させるものである。９は中間周波フィルタ８の出力信号が、中間周波増幅器を介して供給される出力端子である。
【０００６】
そしてこれらの単同調フィルタ２、高周波増幅器３、複同調フィルタ４、混合器５及び中間周波フィルタ８で、ＵＨＦ信号受信器１０を構成している。
【０００７】
次に１１は、入力端子１の信号が供給されるＶＨＦ信号受信器である。そしてこのＶＨＦ信号受信器１１は５５．２５ＭＨｚから３６１．２５ＭＨｚまでのＶＨＦ放送帯域の信号を受信するものであり、単同調フィルタ１２と高周波増幅器１３と複同調フィルタ１４と混合器１５とで構成されている。
【０００８】
まず、１２は１つの可変容量ダイオードから構成された単同調フィルタであり、周波数可変端子１２ａに供給される同調電圧を利用して同調周波数を変化させるものである。１３は単同調フィルタ１２の出力が接続された高周波増幅器であり、ＶＨＦ放送帯域の信号を増幅するものである。
【０００９】
１４は高周波増幅器１３の出力が接続された複同調フィルタである。この複同調フィルタ１４は２つの可変容量ダイオードから構成され、周波数可変端子１４ａに供給される同調電圧を利用して同調周波数を変化させるものである。１５は混合器であり、複同調フィルタ１４の出力信号がその一方に入力されるとともに、局部発振器６の出力信号が分周器１６を介してその他方に入力される。この混合器１５は複同調フィルタ１４を通過したＶＨＦ放送帯域の信号と、局部発振器６の発振信号とを混合し、中間周波信号４５．７５ＭＨｚへ変換するものである。そして、この混合器１５の出力は、中間周波フィルタ８の入力に接続される。
【００１０】
次に、１７は発振部であり、この発振部１７の入力１７ａ及び１７ｂには同調部１８が接続されている。この同調部１８は、可変容量ダイオード１９とキャパシタ２０の直列接続体２１と、この直列接続体２１と並列に接続したインダクタ２２により構成されている。
【００１１】
２３はＰＬＬ回路であり、このＰＬＬ回路２３の入力には、発振部１７の出力が接続されている。そしてこのＰＬＬ回路２３の出力端子２３ａから出力される同調電圧は、同調部１８の可変容量ダイオード１９ならびに単同調フィルタ２、複同調フィルタ４、単同調フィルタ１２、及び複同調フィルタ１４の可変容量ダイオードに供給されるものである。
【００１２】
次に、従来の高周波受信装置における局部発振器６及び分周器７、１６の動作について図７を用いて説明する。図７は局部発振器の特性図であり、横軸３１は、混合器５又は１５に加えられる周波数（ＭＨｚ）であり、縦軸３２はＰＬＬ回路２３の出力電圧（Ｖ）である。
【００１３】
図７において、３３はＵＨＦ信号受信器１０の混合器５に供給される局部発振信号の特性である（以降、ＵＨＦ受信時の混合器入力という）。ＵＨＦ放送帯域の信号受信時には、ＰＬＬ回路２３の出力同調電圧が１Ｖにおいて約３５０ＭＨｚ、同調電圧が２４Ｖにおいて約８５０ＭＨｚの発振信号が得られるように構成されている。
【００１４】
３４は局部発振器６の出力をそのまま分周器１６で分周する従来の高周波受信装置において、ＶＨＦハイバンド放送帯域の信号受信時の混合器１５へ供給される局部発振信号の特性であり、３５はＶＨＦハイバンド放送帯域の信号受信時に適した局部発振信号の特性である。
【００１５】
３６は局部発振器６の出力をそのまま分周器１６で分周する従来の高周波受信装置において、ＶＨＦローバンド放送帯域の信号受信時に混合器１５へ供給される局部発振信号の特性であり、３７はＶＨＦローバンド放送帯域の信号受信時に適した局部発振信号の特性である。
【００１６】
なお、この出願の発明に関連する先行技術文献情報としては、例えば、特許文献１、特許文献２及び特許文献３が知られている。
【００１７】
【特許文献１】
特開２０００−２９５５３９号公報
【特許文献２】
特開２００２−１１８７９５号公報
【特許文献３】
特開平１−２６５６８８号公報
【００１８】
【発明が解決しようとする課題】
しかしながらこのような従来の高周波受信装置では、同調電圧可変範囲で発振できない周波数範囲が発生し、受信できないという課題があった。すなわち、図７に示されるように本来３５で示されるような局部発振信号特性が必要であるが、３３で示されるような局部発振信号をそのまま分周器１６で分周した場合、混合器１５に供給される波形には、３４のように同調電圧の可変範囲では発振できない周波数範囲が発生していた。
【００１９】
そこで本発明は、この問題を解決したもので、連続したＶＨＦ放送帯域とＵＨＦ放送帯域の広帯域チャンネルを受信可能とした高周波受信装置を提供することを目的としたものである。
【００２０】
【課題を解決するための手段】
この目的を達成するために本発明では、局部発振器は、発振部と、この発振部の入力に接続される同調部とから成り、前記同調部は、発振用可変容量ダイオードと第１のキャパシタとの直列接続体と、この直列接続体に並列接続されたインダクタとを有し、ＰＬＬ回路は、第１の可変容量ダイオードと、第２の可変容量ダイオードと、前記発振用可変容量ダイオードへ同調電圧を供給し、前記同調部と前記発振部との間には発振周波数変化手段が挿入され、この発振周波数変化手段は、受信するそれぞれの周波数帯域において、前記ＰＬＬ回路から供給される同調電圧に対する前記局部発振器の発振周波数特性を微小変化させて、前記第１の周波数帯域を受信する場合には、前記第１の同調フィルタの周波数特性に連動するとともに、前記第２の周波数帯域を受信する場合には、前記第２の同調フィルタの周波数特性に連動して、予め定められた周波数だけ異なる局部発振信号を得るものである。
【００２１】
これにより局部発振器には、受信する受信帯域に応じて発振信号を第１の周波数帯域を受信する場合には、第１の同調フィルタの周波数特性に連動するとともに、第２の周波数帯域を受信する場合には、第２の同調フィルタの周波数特性に連動するように変化させる発振周波数変化手段を有しているので、たとえ第１の受信帯域と第２の受信帯域との間のチャンネルが連続していたとしても受信することができる。従って、ＴＶ放送においては、連続するＶＨＦ放送帯域とＵＨＦ放送帯域の広帯域なチャンネルを受信できる高周波受信装置を実現することができる。
【００２２】
【発明の実施の形態】
本発明の請求項１に記載の発明は、第１の周波数帯域と、この第１の周波数帯域よりも低い第２の周波数帯域の高周波信号が入力される入力端子と、この入力端子に供給された信号の中から第１の周波数帯域の高周波信号を通過させるために、第１の可変容量ダイオードの容量変化によって同調周波数が変化する第１の同調フィルタと、この第１の同調フィルタの出力がその一方の入力に供給されるとともに、その出力が出力端子に供給される第１の混合器とからなる第１の受信器と、前記入力端子に供給された信号の中から前記第２の周波数帯域の高周波信号を通過させるために、第２の可変容量ダイオードの容量変化によって同調周波数が変化する第２の同調フィルタと、この第２の同調フィルタの出力がその一方の入力に接続されるとともに、その出力が前記出力端子へ供給される第２の混合器とからなる第２の受信器と、前記第１の混合器及び前記第２の混合器それぞれの他方の入力に局部発振信号を供給するために１つの局部発振器と少なくとも１つの分周器とを有し、前記局部発振器の出力が供給されて前記局部発振器と前記第１及び第２の同調フィルタを受信チャンネルに同調制御するＰＬＬ回路とを備えた高周波受信装置において、前記局部発振器は、発振部とこの発振部の入力に接続される同調部とから成り、前記同調部は、発振用可変容量ダイオードと第１のキャパシタとの直列接続体と、この直列接続体に並列接続されたインダクタとを有し、前記ＰＬＬ回路は、前記第１の可変容量ダイオードと、前記第２の可変容量ダイオードと、前記発振用可変容量ダイオードへ同調電圧を供給し、前記同調部と前記発振部との間には発振周波数変化手段が挿入され、この発振周波数変化手段は、受信するそれぞれの周波数帯域において、前記ＰＬＬ回路から供給される同調電圧に対する前記局部発振器の発振周波数特性を微小変化させて、前記第１の周波数帯域を受信する場合には、前記第１の同調フィルタの周波数特性に連動するとともに、前記第２の周波数帯域を受信する場合には、前記第２の同調フィルタの周波数特性に連動して、予め定められた周波数だけ異なる発振信号を得る高周波受信装置である。
【００２３】
これにより、局部発振器には、受信する受信帯域に応じて発振信号を第１の周波数帯域を受信する場合には、第１の同調フィルタの周波数特性に連動するとともに、第２の周波数帯域を受信する場合には、第２の同調フィルタの周波数特性に連動するように変化させる発振周波数変化手段を有しているので、同調電圧に対する局部発振器の発振周波数の範囲を広くすることができ、たとえ第１の周波数帯域と第２の周波数帯域との間のチャンネルが連続していたとしても受信することができる。従って、ＴＶ放送においては、連続するＶＨＦ放送帯域とＵＨＦ放送帯域の広帯域なチャンネルを受信できる高周波受信装置を実現することができる。
【００２４】
請求項２に記載の発明は、発振周波数変化手段は、発振用可変容量ダイオードと並列に接続された第２のキャパシタと、この第２のキャパシタと第１のキャパシタの夫々に接続されるとともに、受信する周波数帯域に応じて前記第１のキャパシタの値と前記第２のキャパシタの値を変化させる容量変化手段から成る請求項１に記載の高周波受信装置である。
【００２５】
これにより、容量変化手段によってキャパシタの容量を変化させて、同調部の同調周波数を変化させることができる。従って、夫々の放送帯域に合った発振周波数特性を得ることが出来るので、たとえ第１の受信帯域と第２の受信帯域との間のチャンネルが連続していたとしても受信することができ、特にＴＶ放送においては、連続するＶＨＦ放送帯域とＵＨＦ放送帯域の広帯域なチャンネルを受信できる高周波受信装置を実現することができる。
【００２６】
また、容量変化手段によって、発振用可変容量ダイオードと直列に設けられた第１のキャパシタを変化させるので、第１のキャパシタの値を適宜変化してやることによって同調電圧の変化幅に対する容量変化の幅を制御することができる。
【００２７】
さらに、容量変化手段によって、発振用可変容量ダイオードと並列に接続された第２のキャパシタの容量値を変化させるので、局部発振器の高い発振周波数での発振特性を制御することができる。
【００２８】
請求項３に記載の発明は、第１のキャパシタは、第３のキャパシタと、この第３のキャパシタに並列に接続された第４のキャパシタとから成り、容量変化手段は、前記第４のキャパシタと発振部との間に接続されるとともに、受信する周波数帯域に応じて前記第４のキャパシタの値を選択的に切り替える切り替え手段とした請求項２に記載の高周波受信装置である。
【００２９】
これにより、受信する放送帯域に応じて切り替え手段を切り替えることによってキャパシタの値が変化するので、同調部の同調周波数が変化し、夫々の受信帯域に適合した周波数特性とすることができる。従って、たとえ第１の受信帯域と第２の受信帯域との間のチャンネルが連続していたとしても受信することができ、特にＴＶ放送においては、連続するＶＨＦ放送帯域とＵＨＦ放送帯域の広帯域なチャンネルを受信できる高周波受信装置を実現することができる。
【００３０】
また、第１のキャパシタが複数のキャパシタによって構成されるので、さらに受信可能な周波数帯域を広くすることができる。
【００３１】
請求項４に記載の発明は、第４のキャパシタは、複数のキャパシタにより構成され、容量変化手段は、前記複数のキャパシタの少なくともひとつに接続されて、受信する周波数帯域に応じて前記第３のキャパシタの値を選択的に切り替える切り替え手段とした請求項３に記載の高周波受信装置である。
【００３２】
これにより、第４のキャパシタが複数のキャパシタによって構成されるとともに、受信帯域に応じてそれらを選択的に切り替えることにより、受信する放送帯域に応じて同調部を構成する容量値を切り替えることとなり、同調周波数が変化し、夫々の受信帯域に適合した周波数特性とすることができる。従って、受信帯域の周波数がさらに広くても受信することができ、特にＴＶ放送などに対しては、ＵＨＦ放送帯域、ＶＨＦローバンド、ＶＨＦハイバンドまでの広帯域なチャンネルが連続していても受信することができる高周波受信装置を実現することができる。
【００３３】
請求項５に記載の発明は、第２のキャパシタは、複数のキャパシタより構成され、容量変化手段は、前記複数のキャパシタの少なくともひとつのキャパシタに接続されて、受信する周波数帯域に応じて前記第２のキャパシタの値を切り替える切り替え手段とした請求項２に記載の高周波受信装置であり、これにより、第２のキャパシタが複数のキャパシタによって構成されるとともに、受信帯域に応じてそれらを選択的に切り替えるので、受信する放送帯域に応じて同調部を構成する容量値が切り替わることによって同調周波数が変化し、夫々の受信帯域に適合した周波数特性とすることができる。従って、受信帯域の周波数がさらに広くても受信することができ、特にＴＶ放送などに対しては、ＵＨＦ放送帯域、ＶＨＦローバンド、ＶＨＦハイバンドまでの広帯域なチャンネルが連続していても受信することができる高周波受信装置を実現することができる。
【００３４】
請求項６に記載の発明は、インダクタと直列に第３の可変容量ダイオードを設けた請求項２に記載の高周波受信装置であり、この第３の可変容量ダイオードの容量を可変させることにより、同じ同調電圧可変範囲内で広帯域発振ができる。
【００３５】
請求項７に記載の発明は、第１の周波数帯域は、ＵＨＦ放送帯域とし、第２の周波数帯域はＶＨＦ放送帯域とした請求項２に記載の高周波受信装置であり、これにより、容量変化手段でキャパシタの値が変化するので、連続するＶＨＦ放送帯域とＵＨＦ放送帯域の広帯域なチャンネルであっても受信することができる。
【００３６】
請求項８に記載の発明は、分周器の分周比を、第１の周波数帯域の信号を受信する場合には１とし、第２の周波数帯域の信号を受信する場合には１／２以下とした請求項７に記載の高周波受信装置であり、これにより第２の周波数帯域の高周波信号受信時には局部発振器では、受信するチャンネルの周波数の２倍近い周波数で発振することとなるので、局部発振器の発振信号やその高調波による妨害が生じにくくなる。
【００３７】
また、第１の周波数帯域受信時には分周器を介することなく、第１の周波数帯域の高周波信号を受信することもできる。
【００３８】
請求項９に記載の発明は、ＶＨＦハイバンド受信時には分周比を１／２とするとともに、局部発振器の発振周波数は、約３６０ＭＨｚから約９００ＭＨｚの範囲とした請求項８に記載の高周波受信装置であり、これによりＶＨＦハイバンドの周波数帯域を全て受信することができる。
【００３９】
請求項１０に記載の発明は、ＶＨＦローバンド受信時に、分周比を１／４とした請求項９に記載の高周波受信装置であり、これによりＮＴＳＣ方式におけるＶＨＦローバンド放送のチャンネル全てを受信することができる。
【００４０】
請求項１１に記載の発明は、ＶＨＦローバンド受信時に、分周比を１／５とした請求項９に記載の高周波受信装置であり、これによりＰＡＬ方式におけるＶＨＦローバンドの放送チャンネル全てを受信することができる。
【００４１】
請求項１２に記載の発明は、第２の周波数帯域の信号を受信する場合には、分周器から出力される分周信号をＰＬＬ回路へ供給する請求項７に記載の高周波受信装置であり、そのため、ＰＬＬに入力する選局データは、広く普及している各放送帯域毎に局部発振回路を備えた高周波受信装置と同様の選局データをそのまま活用することができる。
【００４２】
請求項１３に記載の発明は、第１の可変容量ダイオードと、第２の可変容量ダイオードと、発振用可変容量ダイオードとは、略等しい容量変化特性とした請求項１に記載の高周波受信装置であり、これにより同調フィルタの周波数特性と同調部の発振周波数の周波数特性とを近似させることができるので、同調フィルタの周波数特性と局部発振器の周波数特性とを連動させることができる。従って、幅広い周波数帯域を受信することが出来、例え第１の周波数帯域と第２の周波数帯域とが連続していたとしても受信することが出来る高周波受信装置を実現することができる。
【００４３】
また、略同じ容量変化比の可変容量ダイオードを用いているので、同調フィルタに用いる可変容量ダイオードと発振用可変容量ダイオードとを同じ品番のものを用いればよいのでその管理が容易となる。さらに、高周波受信装置に使われる可変容量ダイオードを統一できるので、実装誤りも低下する。
【００４４】
請求項１４に記載の発明は、第１の可変容量ダイオードと、第２の可変容量ダイオードと、発振用可変容量ダイオードとの容量変化比の値は、受信する周波数帯域の内でその帯域幅が最も大きな周波数帯域に対し必要な容量変化比の値と略等しくした請求項１３に記載の高周波受信装置であり、これにより容量変化範囲は大きくできるので、幅広い周波数帯域の信号を受信することが出来る。
【００４５】
請求項１５に記載の発明は、高周波信号を、少なくとも第１の周波数帯域と、この第１の周波数帯域より低い周波数帯域の第２の周波数帯域とに分割して受信する高周波受信装置において、前記高周波受信装置は、入力端子と、この入力端子に入力された信号が供給されるとともに、可変容量ダイオードの容量変化によって同調周波数が変化する同調フィルタと、この同調フィルタの出力がその一方の入力に供給されるとともに、他方の入力には局部発振器の出力が供給され、前記第１の周波数帯域内にある第１の信号を中間周波数へ変換する混合器と、この混合器の出力が供給される出力端子と、前記第２の周波数帯域内にある第２の信号を受信する場合に、前記第２の周波数帯域内の信号を前記中間周波数へ変換するべく前記局部発振器と前記混合器の間に設けられた分周器と、この分周器の出力と前記局部発振器の出力のいずれか一方の出力を受信する周波数帯域に応じて選択的に前記混合器へ供給する切り替えスイッチと、前記局部発振器と前記同調フィルタを受信チャンネルに同調制御するＰＬＬ回路とを備え、前記局部発振器は、発振部と、この発振部の入力に接続された同調部とから成り、この同調部は、発振用可変容量ダイオードと第１のキャパシタとの直列接続体と、この直列接続体に並列接続されたインダクタとを有し、前記ＰＬＬ回路は、前記可変容量ダイオードと、前記発振用可変容量ダイオードへと同調電圧を供給し、前記同調部と前記発振部との間には発振周波数変化手段が挿入され、この発振周波数変化手段は、受信するそれぞれの周波数帯域において、前記ＰＬＬ回路から供給される同調電圧に対する前記局部発振器の発振周波数特性を微小変化させて、前記同調フィルタの周波数特性に連動して予め定められた周波数だけ異なる発振信号を得る高周波受信装置である。
【００４６】
これにより、局部発振器には、受信する受信帯域に応じて発振信号を同調フィルタの周波数特性に連動するように変化させる発振周波数変化手段を有しているので、同調電圧に対する局部発振器の発振周波数の範囲を広くすることができ、たとえ第１の周波数帯域と第２の周波数帯域との間のチャンネルが連続していたとしても受信することができる。従って、ＴＶ放送においては、連続するＶＨＦ放送帯域とＵＨＦ放送帯域の広帯域なチャンネルを受信できる高周波受信装置を実現することができる。
【００４７】
請求項１６に記載の発明は、高周波信号を、少なくとも第１の周波数帯域と、この第１の周波数帯域より低い周波数帯域の第２の周波数帯域とに分割して受信する高周波受信装置において、前記高周波受信装置は、入力端子と、この入力端子に入力された信号が供給されるとともに、可変容量ダイオードの容量変化によって同調周波数が変化する同調フィルタと、この同調フィルタの出力がその一方の入力に供給されるとともに、他方の入力には受信する周波数帯域に応じて分周比が変化させられる分周器の出力が接続された混合器と、この混合器の出力が供給される出力端子と、前記分周器の入力に接続された局部発振器と、前記分周器の出力信号が供給されるＰＬＬ回路とを備え、前記局部発振器は、発振部とこの発振部の入力に接続される同調部とから成り、この同調部は、発振用可変容量ダイオードと第１のキャパシタとの直列接続体と、この直列接続体に並列接続されたインダクタとを有し、前記ＰＬＬ回路は、前記局部発振器の出力が供給されるとともに、前記可変容量ダイオードと前記発振用可変容量ダイオードへと同調電圧を供給し、前記同調部には、受信するそれぞれの周波数帯域において、前記ＰＬＬ回路から供給される同調電圧に対する前記局部発振器の発振周波数特性を微小変化させて、前記同調フィルタの周波数特性に連動して予め定められた周波数だけ異なる分周器出力を得る発振周波数変化手段を有した高周波受信装置である。
【００４８】
これにより、局部発振器には、受信する受信帯域に応じて発振信号を同調フィルタの周波数特性に連動するように変化させる発振周波数変化手段を有しているので、同調電圧に対する局部発振器の発振周波数の範囲を広くすることができ、たとえ第１の周波数帯域と第２の周波数帯域との間のチャンネルが連続していたとしても受信することができる。従って、ＴＶ放送においては、連続するＶＨＦ放送帯域とＵＨＦ放送帯域の広帯域なチャンネルを受信できる高周波受信装置を実現することができる。
【００４９】
請求項１７に記載の発明は、発振周波数変化手段は、発振用可変容量ダイオードと並列に接続された第２のキャパシタと、この第２のキャパシタと第１のキャパシタの夫々に接続されるとともに、受信する周波数帯域に応じて前記第１のキャパシタの値と前記第２のキャパシタの値を変化させる容量変化手段から成る請求項１６に記載の高周波受信装置であり、これにより、容量変化手段によってキャパシタの容量を変化させて、同調部の同調周波数を変化させることができる。従って、夫々の放送帯域に合った発振周波数特性を得ることが出来るので、たとえ第１の受信帯域と第２の受信帯域との間のチャンネルが連続していたとしても１つの局部発振器で受信することができる。特にＴＶ放送においては、連続するＶＨＦ放送帯域とＵＨＦ放送帯域の広帯域なチャンネルを受信できる高周波受信装置を実現することができる。
【００５０】
また、容量変化手段によって、発振用可変容量ダイオードと直列に設けられた第１のキャパシタを変化させるので、第１のキャパシタの値を適宜変化してやることによって同調電圧の変化幅に対する容量変化の幅を制御することができる。
【００５１】
さらに、容量変化手段によって、発振用可変容量ダイオードと並列に接続された第２のキャパシタの容量値を変化させるので、局部発振器の高い発振周波数での発振特性を制御することができる。
【００５２】
請求項１８に記載の発明は、分周器は、複数の分周器より構成され、これら複数の分周器には、混合器へ入力される信号を受信する周波数帯域に応じて選択的に切り替える切り替えスイッチが接続された請求項１６に記載の高周波受信装置であり、これにより、周波数帯域及び受信周波数の異なる地域に適した分周比を設定することができ、連続するＶＨＦ放送帯域とＵＨＦ放送帯域の広帯域チャンネルを受信することができる。
【００５３】
請求項１９に記載の発明は、第１の周波数帯域は、ＵＨＦ放送帯域とし、第２の周波数帯域はＶＨＦ放送帯域とした請求項１６に記載の高周波受信装置であり、これにより例え、ＶＨＦ放送帯域とＵＨＦ放送帯域とが連続して放送されていたとしても、その放送全てを受信することができる広帯域な高周波受信装置を実現することができる。
【００５４】
請求項２０に記載の発明は、分周器の分周比を、第１の周波数帯域の信号を受信する場合には１とし、第２の周波数帯域の信号を受信する場合には１／２以下とした請求項１６に記載の高周波受信装置であり、これにより第２の周波数帯域の高周波信号受信時には局部発振器では、受信するチャンネルの周波数の２倍近い周波数で発振することとなるので、局部発振器の発振信号やその高調波による妨害が生じにくくなる。
【００５５】
また、第１の周波数帯域受信時には分周器を介することなく、第１の周波数帯域の高周波信号を受信することもできるので、分周器を特段に設ける必要が無くなる。
【００５６】
請求項２１に記載の発明は、第１の周波数帯域は、ＶＨＦハイバンド放送帯域とし、第２の周波数帯域はＶＨＦローバンド放送帯域とした請求項１６に記載の高周波受信装置であり、これによりＶＨＦハイバンド放送帯域とＶＨＦローバンド放送帯域との連続した広い放送帯域のチャンネルを全て受信することができる。
【００５７】
請求項２２に記載の発明は、分周器の分周比を、第１の周波数帯域の信号を受信する場合には１／２以下とするとともに、第２の周波数帯域の信号を受信する場合には前記第１の周波数帯域の信号を受信する場合の分周比よりも大きくした請求項１６に記載の高周波受信装置であり、第１の周波数帯域及び第２の周波数帯域を受信する場合、局部発振器はその受信帯域に必要とされる発振周波数よりも２倍以上高い周波数で発振するため、高調波等による妨害を受けない。
【００５８】
請求項２３に記載の発明は、分周器の分周比は、ＶＨＦハイバンド放送帯域の信号受信時に１／２とするとともに、ＶＨＦローバンド放送の帯域信号受信時に１／４とする請求項２１に記載の高周波受信装置であり、日本及び米国のテレビジョン信号の連続するＶＨＦハイバンド放送帯域とＶＨＦローバンド放送帯域の広帯域チャンネルを受信することができる。また、偶数分周であるので分周器を低価格にすることができる。
【００５９】
請求項２４に記載の発明は、分周器の分周比をＶＨＦハイバンド放送帯域の信号受信時に１／２とするとともに、ＶＨＦローバンド放送帯域の信号受信時に１／５とする請求項２１に記載の高周波受信装置であり、ヨーロッパのテレビジョン信号の連続するＶＨＦハイバンド放送帯域とＶＨＦローバンド放送帯域の広帯域チャンネルを受信することができる。
【００６０】
請求項２５に記載の発明における分周器は、局部発振器の出力周波数を１／２に分周する第１の固定分周器と、この第１の固定分周器の出力がその共通端子に接続されるとともにその一方の出力が混合器の他方の端子へ接続された切り替えスイッチと、この切り替えスイッチの他方の端子と前記混合器の他方の端子との間に挿入されて前記第１の固定分周器の出力信号をさらに１／２に分周する第２の固定分周器とを有した請求項１６に記載の高周波受信装置であり、これにより、分周比１／２の固定の分周器２個で１／２と１／４の分周器を構成することができるため、簡素な回路構成で分周器が実現できる。
【００６１】
請求項２６に記載の発明は、同調フィルタには、第１の周波数帯域内の周波数に同調する第１の同調フィルタと、この第１の同調フィルタと並列に設けられるとともに第２の周波数帯域内の周波数に同調する第２の同調フィルタとからなる請求項１１に記載の高周波受信装置であり、これにより、２段のフィルタで構成しているため希望信号に対して不要信号の妨害を十分に抑圧することができる。
【００６２】
請求項２７に記載の発明は、請求項１に記載の高周波受信装置を形成する第１の混合器と第２の混合器とＰＬＬ回路と発振部と分周器と発振周波数変化手段とが集積化されたことを特徴とする集積回路であり、これにより、第１の周波数帯域と第２の周波数帯域とが連続した広い周波数帯域であったとしても、受信することができる。さらにこの放送帯域が、ＶＨＦ放送帯域とＵＨＦ放送帯域の放送帯域であったとしても、それらの帯域内の全放送チャンネルを受信することができる。また、高周波受信装置の小型化を図ることができる。
【００６３】
請求項２８に記載の発明は、請求項２に記載の高周波受信装置を形成する第１の混合器と第２の混合器とＰＬＬ回路と発振部と分周器と容量変化手段とが集積化されたことを特徴とする集積回路であり、これにより容量変化手段によってキャパシタの容量を変化させて、同調部の同調周波数を変化させることができる。従って、夫々の放送帯域に合った発振周波数特性を得ることが出来るので、たとえ第１の受信帯域と第２の受信帯域との間のチャンネルが連続していたとしても受信することができ、特にＴＶ放送においては、連続するＶＨＦ放送帯域とＵＨＦ放送帯域の広帯域なチャンネルを受信できる高周波受信装置を実現することができる。
【００６４】
また、容量変化手段によって、発振用可変容量ダイオードと直列に設けられた第１のキャパシタを変化させるので、第１のキャパシタの値を適宜変化させることによって同調電圧の変化幅に対する容量変化の幅を制御することができる。
【００６５】
さらに、容量変化手段によって、発振用可変容量ダイオードと並列に接続された第２のキャパシタの容量値を変化させるので、局部発振器の高い発振周波数での発振特性を制御することができる。さらになお、高周波受信装置の小型化を図ることができる。また、キャパシタより構成されているので低価格で実現することができる。
【００６６】
請求項２９に記載の発明は、請求項３に記載の高周波受信装置を形成する第１の混合器と第２の混合器とＰＬＬ回路と発振部と分周器と切り替え手段とが集積化されたことを特徴とする集積回路であり、これにより受信する放送帯域に応じて切り替え手段を切り替えることによってキャパシタの値が変化するので、同調部の同調周波数が変化し、夫々の受信帯域に適合した周波数特性とすることができる。
【００６７】
従って、たとえ第１の受信帯域と第２の受信帯域との間のチャンネルが連続していたとしても受信することができ、特にＴＶ放送においては、連続するＶＨＦ放送帯域とＵＨＦ放送帯域の広帯域なチャンネルを受信できる高周波受信装置を実現することができる。また、第１のキャパシタが複数のキャパシタによって構成されるので、さらに受信可能な周波数帯域を広くすることができる。さらに、高周波受信装置の小型化を図ることが出来る。
【００６８】
請求項３０に記載の発明は、請求項４に記載の高周波受信装置を形成する第１の混合器と第２の混合器とＰＬＬ回路と発振部と分周器と切り替え手段とが集積化されたことを特徴とする集積回路であり、これにより第４のキャパシタが複数のキャパシタによって構成されるとともに、受信帯域に応じてそれらを選択的に切り替えることにより、受信する放送帯域に応じて同調部を構成する容量値を切り替えることとなり、同調周波数が変化し、夫々の受信帯域に適合した周波数特性とすることができる。従って、受信帯域の周波数がさらに広くても受信することができ、特にＴＶ放送などに対しては、ＵＨＦ放送帯域、ＶＨＦローバンド、ＶＨＦハイバンドまでの広帯域なチャンネルが連続していても受信することができる高周波受信装置を実現することができる。さらに、高周波受信装置の小型化を図ることが出来る。
【００６９】
請求項３１に記載の発明は、請求項３と請求項５に記載の高周波受信装置を形成するＰＬＬ回路と発振部と分周器と切り替え手段とが、少なくとも集積化された集積回路において、前記集積回路における前記発振部と同調部を接続する接続端子の配置は、発振用可変容量ダイオードと第１のキャパシタとの直列接続体と、この直列接続体と並列に接続されたインダクタの両端が接続される接続端子の間に第２及び第４のキャパシタを接続する接続端子を配置した集積回路であり、これにより、同調部を構成している可変容量ダイオード、キャパシタ、インダクタの部品と、集積化されている発振部との接続が最短に配線することができ、不要な容量成分やインダクタ成分を低減して高品質設計ができる。また、最短に配線することができるため、この集積回路を用いた高周波受信装置の小型化が可能である。
【００７０】
請求項３２に記載の発明は、請求項１５に記載の高周波受信装置を形成する混合器とＰＬＬ回路と発振部と分周器とが、少なくとも集積化されたことを特徴とする集積回路であり、これにより局部発振器には、受信する受信帯域に応じて発振信号を同調フィルタの周波数特性に連動するように変化させる発振周波数変化手段を有しているので、同調電圧に対する局部発振器の発振周波数の範囲を広くすることができ、たとえ第１の周波数帯域と第２の周波数帯域との間のチャンネルが連続していたとしても受信することができる。従って、ＴＶ放送においては、連続するＶＨＦ放送帯域とＵＨＦ放送帯域の広帯域なチャンネルを受信できる高周波受信装置を実現することができる。また、高周波受信装置の小型化を図ることができる。
【００７１】
請求項３３に記載の発明は、請求項１６に記載の高周波受信装置を形成する混合器とＰＬＬ回路と発振部と分周器とが、少なくとも集積化されたことを特徴とする集積回路であり、これにより局部発振器には、受信する受信帯域に応じて発振信号を同調フィルタの周波数特性に連動するように変化させる発振周波数変化手段を有しているので、同調電圧に対する局部発振器の発振周波数の範囲を広くすることができ、たとえ第１の周波数帯域と第２の周波数帯域との間のチャンネルが連続していたとしても受信することができる。従って、ＴＶ放送においては、連続するＶＨＦ放送帯域とＵＨＦ放送帯域の広帯域なチャンネルを受信できる高周波受信装置を実現することができる。また、高周波受信装置の小型化を図ることができる。
【００７２】
請求項３４に記載の発明は、請求項１７に記載の高周波受信装置を形成する混合器とＰＬＬ回路と発振部と分周器と容量変化手段とが、少なくとも集積化されたことを特徴とする集積回路であり、これにより容量変化手段によってキャパシタの容量を変化させて、同調部の同調周波数を変化させることができる。従って、夫々の放送帯域に合った発振周波数特性を得ることが出来るので、たとえ第１の受信帯域と第２の受信帯域との間のチャンネルが連続していたとしても１つの局部発振器で受信することができる。特にＴＶ放送においては、連続するＶＨＦ放送帯域とＵＨＦ放送帯域の広帯域なチャンネルを受信できる高周波受信装置を実現することができる。
【００７３】
また、容量変化手段によって、発振用可変容量ダイオードと直列に設けられた第１のキャパシタを変化させるので、第１のキャパシタの値を適宜変化してやることによって同調電圧の変化幅に対する容量変化の幅を制御することができる。
【００７４】
さらに、容量変化手段によって、発振用可変容量ダイオードと並列に接続された第２のキャパシタの容量値を変化させるので、局部発振器の高い発振周波数での発振特性を制御することができる。さらにまた、高周波受信装置の小型化を図ることができる。
【００７５】
（実施の形態１）
以下、本発明の実施の形態１について図面を用いて説明する。図１は実施の形態１における高周波受信装置のブロック図である。
【００７６】
図１において、５１は入力端子である。この入力端子５１には５５．２５ＭＨｚから８０１．２５ＭＨｚまでの高周波信号が入力されるものである。５２は入力端子５１に接続されるとともに、１つの可変容量ダイオードを含む単同調フィルタ（第１の同調フィルタの一例として用いた）である。この単同調フィルタ５２の同調周波数はＵＨＦ放送帯域３６７．２５ＭＨｚから８０１．２５ＭＨｚまでの間、周波数可変端子５２ａに供給される同調電圧を利用して同調周波数を変化させるものである。
【００７７】
５３は単同調フィルタ５２の出力が接続された高周波増幅器であり、このＵＨＦ放送帯域の信号を増幅するものである。５４は高周波増幅器の出力が接続された複同調フィルタ（第２の同調フィルタの一例として用いた）である。この複同調フィルタ５４は２つの可変容量ダイオードを含み、周波数可変端子５４ａに供給される同調電圧を利用して同調周波数を変化させるものである。
【００７８】
５５は混合器であり、複同調フィルタ５４の出力信号がその一方に入力されるとともに、局部発振器５６の出力信号が分周器５７を介してその他方に入力される。この混合器５５は複同調フィルタ５４を通過したＵＨＦ放送帯域の信号と、局部発振器５６の発振信号とを混合し、４５．７５ＭＨｚの中間周波信号へ変換するものである。
【００７９】
５８は混合器５５の出力が接続された中間周波フィルタであり、占有帯域６ＭＨｚに不要信号を減衰させるものである。５９は中間周波フィルタ５８の出力信号が中間周波増幅器を介して供給される出力端子である。
【００８０】
そしてこれらの単同調フィルタ５２、高周波増幅器５３、複同調フィルタ５４、混合器５５及び中間周波フィルタ５８によってＵＨＦ信号受信器６０を構成している。
【００８１】
次に６１は、入力端子５１の信号が供給されるＶＨＦ信号受信器であり、５５．２５ＭＨｚから３６１．２５ＭＨｚまでのＶＨＦ放送帯域の信号を受信するものである。なお、このＶＨＦ信号受信器６１は、単同調フィルタ６２、高周波増幅器６３、複同調フィルタ６４及び混合器６５とがこの順に接続されている。
【００８２】
６２は１つの可変容量ダイオードを含む単同調フィルタであり、周波数可変端子６２ａに供給される同調電圧を利用して同調周波数を変化させるものである。６３は単同調フィルタ６２の出力が接続された高周波増幅器であり、ＶＨＦ放送帯域の信号を増幅するものである。
【００８３】
６４は高周波増幅器６３の出力が接続された複同調フィルタである。この複同調フィルタ６４は２つの可変容量ダイオードを含み、周波数可変端子６４ａに供給される同調電圧を利用して同調周波数を変化させるものである。
【００８４】
６５は混合器であり、複同調フィルタ６４の出力信号がその一方に入力されるとともに、局部発振器５６の出力信号が分周器６６を介してその他方に入力されている。ここで、この混合器６５は、複同調フィルタ６４を通過したＶＨＦ放送帯域の信号と局部発振器５６の信号とを混合して、中間周波信号（４５．７５ＭＨｚ）へ変換するものである。そして、この混合器６５の出力が中間周波フィルタ５８の入力に接続されている。
【００８５】
ここで分周器６６は、ＶＨＦローバンド放送帯域受信時の分周器６６ａとＶＨＦハイバンド放送帯域受信時の分周器６６ｂとを有しており、これらの分周器５７、６６ａ、６６ｂを切り替える切り替えスイッチ６７（ａ、ｂ、ｃ）が、これらの分周器５７、６６と混合器５５および６５の他方の入力との間に接続されている。
【００８６】
次に局部発振器５６は、インダクタ６８と、このインダクタ６８と並列に可変容量ダイオード６９とキャパシタ７０との直列接続体によって構成された同調部と、この直列接続体の両端に接続された発振部７１と、同調部と並列に接続されるとともにその出力が発振部７１に接続された発振周波数変化手段とによって構成されている。
【００８７】
そしてこの発振周波数変化手段は、可変容量ダイオード６９と並列に接続されたキャパシタ７２とキャパシタ７３、そしてこれらのキャパシタ７２、７３の夫々に接続された切り替えスイッチ７４ａ、７４ｂ（容量可変手段の一例として用いた）、キャパシタ７０と並列に接続されたキャパシタ７５とキャパシタ７６、そしてこれらのキャパシタ７５、７６の夫々に接続された切り替えスイッチ７７ｂ、７７ａ（容量可変手段の一例として用いた）とから構成されている。
【００８８】
これによって、切り替えスイッチ７４でキャパシタ７２とキャパシタ７３とを切り替えることができ、また、切り替えスイッチ７７によりキャパシタ７５と７６とを切り替えることができる。
【００８９】
従って、本実施の形態１においては、これらの切り替えスイッチ７４、７７を切り替えることによって、発振用可変容量ダイオード６９に直列に挿入される容量値および、発振用可変容量ダイオード６９に並列に挿入される容量値を変化させることができるので、同調部の同調周波数が変化し、局部発振器の発振周波数を微小変化させることができる。
【００９０】
また、インダクタ６８と直列に可変容量ダイオードを接続することにより、広帯域での発振が可能となる。
【００９１】
７８はＰＬＬ回路であり、このＰＬＬ回路７８の入力には、局部発振器５６の発振信号が分周器５７及び６６で分周されて供給される。そしてこのＰＬＬ回路７８は、単同調フィルタ５２、複同調フィルタ５４、単同調フィルタ６２及び複同調フィルタ６４の可変容量ダイオード８２、８４、８６、８９、９６、９８、１０２、１０７（図２、図３）及び発振用可変容量ダイオード６９へ同調電圧を供給する。
【００９２】
図２は、本実施の形態１におけるＵＨＦ信号受信器６０における単同調フィルタ５２及び複同調フィルタ５４の回路図である。以下本実施の形態１における単同調フィルタ５２及び複同調フィルタ５４について図を用いて説明する。
【００９３】
まず単同調フィルタ５２について説明する。図２において、８１はインダクタであり、このインダクタ８１と直列に可変容量ダイオード８２が接続され、この可変容量ダイオード８２のカソード側にインダクタ８３の一方が接続される。このインダクタ８３の他方は可変容量ダイオード８４のカソード側に接続され、そのアノード側は、キャパシタを介してグランドに接地される。なお、５２ａは周波数可変端子であり、抵抗を介して可変容量ダイオード８２と８４のカソード側に接続され、ＰＬＬ回路７８の出力から同調電圧が供給される。
【００９４】
そして、これらインダクタ８１、可変容量ダイオード８２、インダクタ８３及び可変容量ダイオード８４によって単同調フィルタ５２が構成されるものである。この単同調フィルタ５２では、周波数可変端子５２ａに供給される同調電圧に応じて可変容量ダイオード８２及び８４の容量を共に変化させ、同調周波数を変化させることができる。尚、本実施の形態においては、この単同調フィルタ５２ではＵＨＦ帯の信号を通過させるようなフィルタの定数としている。
【００９５】
次に、複同調フィルタ５４について説明する。複同調フィルタ５４は可変容量ダイオード８６と、この可変容量ダイオード８６に並列に接続されたインダクタ８７と、このインダクタ８７と相互誘導結合したインダクタ８８と、このインダクタ８８と並列に接続された可変容量ダイオード８９とから構成されている。なお、５４ａ及び５４ｂは周波数可変端子であり、それぞれ可変容量ダイオード８６と可変容量ダイオード８９のカソード側に接続し、ＰＬＬ回路７８の出力から同調電圧が供給される。
【００９６】
そして、この複同調フィルタ５４では、周波数可変端子５４ａ及び５４ｂに供給される同調電圧に応じて可変容量ダイオード８６及び８９の容量を変化させ、同調周波数を変化させることができる。
【００９７】
図３は、本実施の形態１におけるＶＨＦ信号受信器６１における単同調フィルタ６２及び複同調フィルタ６４の回路図である。以下図３を用いて単同調フィルタ６２及び複同調フィルタ６４について説明する。
【００９８】
図３において、まず単同調フィルタ６２は、インダクタ９１とインダクタ９２とインダクタ９３とインダクタ９４と、そしてスイッチ９５と可変容量ダイオード９６とインダクタ９７と可変容量ダイオード９８とから構成されている。また、インダクタ９１とインダクタ９２とは直列に接続され、この接続点９９とグランドとの間にインダクタ９３とインダクタ９４が直列に接続されている。そしてこのインダクタ９３とインダクタ９４の接続点１００と、インダクタ９２と可変容量ダイオード９６のアノード側との接続点１０１との間にスイッチ９５が挿入されている。一方、可変容量ダイオード９６のカソード側にはインダクタ９７の一方が接続され、このインダクタ９７の他方とグランドとの間には、可変容量ダイオード９８が接続されている。
【００９９】
なお６２ａは、周波数可変端子であり、可変容量ダイオード９８のカソード側に抵抗を介して接続され、ＰＬＬ回路７８の出力から同調電圧が供給される。そして、この単同調フィルタ６２では、周波数可変端子６２ａに供給される同調電圧に応じて可変容量ダイオード９８及び９６の容量が変化し、同調周波数が変化する。尚、本実施の形態においては、この単同調フィルタ６２ではＶＨＦ帯の信号を通過させるようなフィルタの定数としている。
【０１００】
次に、複同調フィルタ６４は、入力とグランド間に挿入された可変容量ダイオード１０２と、この可変容量ダイオード１０２と並列に接続されたインダクタ１０３と１０４との直列接続体と、このインダクタ１０４と並列にスイッチ１０８とが接続されている。そして、インダクタ１０３と１０４と誘導結合するように、インダクタ１０５と１０６が直列に接続され、このインダクタ１０５と１０６との直列接続体と並列に可変容量ダイオード１０７が接続されている。
【０１０１】
なお、６４ａは周波数可変端子であり、それぞれ抵抗を介して可変容量ダイオード１０２と１０７のカソード側に接続され、ＰＬＬ回路７８から同調電圧が供給される。そして、この複同調フィルタ６４では、周波数可変端子６４ａに供給される同調電圧に応じて可変容量ダイオード１０２及び１０７の容量を変化させ、同調周波数を変化させることができる。
【０１０２】
次に、本実施の形態１における高周波受信装置で、ＵＨＦ放送帯域（第１の周波数帯域の一例として用いた）とそのＵＨＦ放送帯域の下側に連続して配列されているＶＨＦ放送帯域（第２の周波数帯域の一例として用いた）から成るＴＶ放送を受信する場合について説明する。
【０１０３】
（表１）は、それぞれの放送帯域の受信する場合においての各切り替えスイッチの状態を示す表である。
【０１０４】
【表１】
2005020136.tif 000003
【０１０５】
（表１）に示されるように、ＵＨＦ放送帯域を受信する場合、スイッチ７４ａと７４ｂおよびスイッチ７７ａと７７ｂとをＯＦＦとし、スイッチ６７は分周器５７の出力が接続されるようにスイッチ６７ａがＯＮされる。
【０１０６】
次に、ＶＨＦハイバンド放送帯域を受信する場合、スイッチ７４ａ及びスイッチ７７ａをＯＮとし、スイッチ７４ｂ及びスイッチ７７ｂをＯＦＦとする。また、スイッチ６７は分周器６６ａの出力が接続されるようにスイッチ６７ｂをＯＮとし、スイッチ９５、１０８及び１０９をＯＮとする。
【０１０７】
そして、ＶＨＦローバンド放送帯域を受信する場合は、スイッチ７４ａ及び７７ａをＯＦＦとし、スイッチ７４ｂ及び７７ｂをＯＮとする。また、スイッチ６７は分周器６６ｂの出力が接続されるように６７ｃをＯＮとし、スイッチ９５、１０８及び１０９をＯＦＦとする。
【０１０８】
なお、高周波増幅器５３、６３はＵＨＦ放送帯域を受信する場合に、高周波増幅器５３をＯＮとし、ＶＨＦ放送帯域を受信する場合に、高周波増幅器６３をＯＮとする。これは、受信しない側の高周波増幅器をＯＦＦとすることによって、単同調フィルタ５２あるいは６２を通過した高周波信号が、混合器５５あるいは６５へ供給されない。これによって、受信したい高周波信号のみの信号が中間周波信号へと変換されることとなる。
【０１０９】
尚、本発明の実施の形態１において、局部発振器５６のインダクタ６８は２０ｎＨであり、キャパシタ７０は２２ｐＦであり、可変容量ダイオード６９は２Ｖから２５Ｖにおいて３１ｐＦから２．７ｐＦまで可変させることができる可変容量ダイオードを用いている。
【０１１０】
この様に構成された局部発振器５６は、ＵＨＦ放送帯域受信時には、３５０ＭＨｚから８５０ＭＨｚの周波数を発振し、ＶＨＦハイバンド放送帯域受信時には、３５８ＭＨｚから８１４ＭＨｚまでの周波数を発振し、ＶＨＦローバンド放送帯域受信時には、４０４ＭＨｚから６９２ＭＨｚまでの周波数を発振することができる。
【０１１１】
そしてさらに、ＵＨＦ放送帯域受信時には、局部発振器５６の発振信号は分周器５７で１／１に分周されて混合器５５に供給することにより４５．７５ＭＨｚの中間周波信号を得ている。一方ＶＨＦハイバンド放送帯域受信時には、局部発振器５６の発振信号は分周器６６ａで１／２に分周されて混合器６５に供給されることにより４５．７５ＭＨｚの中間周波信号を得ている。最後にＮＴＳＣ方式の放送においてはＶＨＦローバンド放送帯域受信時に、局部発振器５６の発振信号は分周器６６ｂで１／４に分周されて混合器６５に供給することにより４５．７５ＭＨｚの中間周波信号を得ている。
【０１１２】
本実施の形態１において、全ての分周器５７、６６ａ、６６ｂは、プログラムカウンタを含み、ＰＬＬ回路が受信チャンネルに応じて分周器５７、６６ａ、６６ｂのプログラムカウンタへ分周比の値を設定するデータを送出する。これによって例えばＮＴＳＣ放送やＰＡＬ放送などの異なった放送信号を受信するような場合にも、このプログラムカウンタの分周比の値を変更するだけで容易に対応することができる。
【０１１３】
なお、本実施の形態１のように、分周器５７の分周比が１／１である場合は、特段に分周器５７を準備する必要はなく、局部発振器５６の出力をスイッチ６７に直接接続しても良い。この場合、分周器５７を設ける必要がないので、低価格な高周波受信装置を実現することができる。さらに混合器５５へ入力される信号は、分周器５７を介さないので、局部発振器５６の信号の損失は小さい。従って、Ｃ／Ｎの良好な高周波受信装置を得ることができる。
【０１１４】
次に、図４は、本実施の形態１における同調フィルタとして単同調フィルタ５２、６２及び複同調フィルタ５４、６４と混合器５５あるいは６５に入力される局部発振信号の周波数特性を示したものであり、横軸に受信チャンネル、縦軸に同調電圧を示した特性図である。
【０１１５】
図４において、１１１はＶＨＦローバンド放送帯域受信時における同調フィルタとしての単同調フィルタ６２と複同調フィルタ６４との受信チャンネル２チャンネルからＢチャンネル（５５．２５ＭＨｚから１２７．２５ＭＨｚ）に対する同調電圧の特性を示している。同様に１１２はＶＨＦハイバンド放送帯域受信時における同調フィルタとしての単同調フィルタ６２と複同調フィルタ６４との受信チャンネルＣチャンネルからＫＫチャンネル（１３３．２５ＭＨｚから３６１．２５ＭＨｚ）に対する同調電圧の特性を示している。そして、１１３はＵＨＦ放送帯域受信時における同調フィルタとしての単同調フィルタ５２と複同調フィルタ５４との受信チャンネルＬＬチャンネルから６９チャンネル（３６７．２５ＭＨｚから８０１．２５ＭＨｚ）に対する同調電圧の特性を示している。
【０１１６】
また、１１４はＶＨＦローバンド放送帯域受信時における局部発振器５６の受信チャンネル２チャンネルからＢチャンネル（１０１ＭＨｚから１７３ＭＨｚ）に対する同調電圧の特性を示している。同様に１１５はＶＨＦハイバンド放送帯域受信時における局部発振器５６の受信チャンネルＣチャンネルからＫＫチャンネル（１７９ＭＨｚから４０７ＭＨｚ）に対する同調電圧の特性を示しており、１１６はＵＨＦ放送帯域受信時における局部発振器の受信チャンネルＬＬチャンネルから６９チャンネル（４１３ＭＨｚから８４７ＭＨｚ）に対する同調電圧の特性を示している。
【０１１７】
ここで、各チャンネルにおける単同調フィルタ５２、６２や複同調フィルタ５４、６４の同調電圧と、局部発振器の同調電圧を、各放送帯域において略同じ値としておくことが重要である。つまり、単同調フィルタ５２、６２や複同調フィルタ５４、６４のチャンネルに対しての同調電圧特性を、全ての放送帯域で近似させておく必要がある。これは、混合器５５や６５で中間周波数信号を得る為に、局部発振器５６と分周器とによって単同調フィルタ５２、６２や複同調フィルタ５４、６４の同調周波数と連動して常に中間周波数だけ高い信号を得ることが必要であるためである。そして、このことは、高周波受信装置において高周波信号を受信するにおいて、最も重要な基本性能である。
【０１１８】
このようにすることによって、ＶＨＦローバンド放送帯域からＵＨＦ放送帯域までの５５．２５ＭＨｚから８０１．２５ＭＨｚまでの連続した米国のテレビジョン全チャンネルが受信できる訳である。
【０１１９】
そこで、本発明の実施の形態１においては、スイッチ７４及び７７によってキャパシタ７２、７３およびキャパシタ７５、７６を切り替えることで、局部発振器５６の構成する同調部の容量を微小変化させて、各受信放送帯域に適した同調電圧に対する局部発振周波数特性を得ている。
【０１２０】
なおここで、スイッチ７４を切り替えてキャパシタ７２、７３のいずれかをオンすると、発振用可変容量ダイオード６９と並列に容量が挿入される。これによって、発振用可変容量ダイオード６９の容量が小さい場合に、局部発振器５６の発振周波数に対する発振用可変容量ダイオード６９の容量値の寄与度が小さくなる。従って、発振用可変容量ダイオード６９の容量が小さくなる局部発振器５６の高域での発振周波数を特に変化させることができる。
【０１２１】
また、スイッチ７７を切り替えて、キャパシタ７５、７６のいずれかをオンとすると、キャパシタ７０に並列に容量が挿入されることとなる。これによって、発振用可変容量ダイオード６９と直列に接続される容量が小さくなる方向へ変化するので、この局部発振器５６における発振周波数に対し発振用可変容量ダイオード６９の寄与度が大きくなり、同調電圧に対する発振周波数の範囲を変化させることができる。
【０１２２】
これにより、これらのキャパシタ７２、７３、７５、７６の容量値を適宜選択すれば、ＵＨＦ放送帯域、ＶＨＦハイバンド放送帯域、ＶＨＦローバンド放送帯域それぞれの周波数帯域において、夫々に独立してチャンネル（周波数）と同調電圧との特性を決定することができる。
【０１２３】
従って、これらのキャパシタ７２、７３、７５、７６の容量値を適宜選定することによって、各帯域における局部発振器５６の受信チャンネル（周波数）に対する同調電圧特性を、単同調フィルタ５２、６２及び複同調フィルタ５４、６４の受信チャンネル（周波数）に対する同調電圧特性に近似させる。そしてさらに、スイッチ７４、７７をオン、オフし、受信する周波数帯域に応じてこれらキャパシタ７２、７３、７５、７６を切り替えることによって、ＶＨＦ放送帯域からＵＨＦ放送帯域までの５５．２５ＭＨｚから８０１．２５ＭＨｚまでの連続した米国のテレビジョン全チャンネルが受信できることとなる。
【０１２４】
なお、実施の形態１における高周波受信装置においては、発振用可変容量ダイオード６９、可変容量ダイオード８４、８６、８９（図２）及び可変容量ダイオード９８、１０２、１０７（図３）の全てについて、略同じ容量変化特性を有したものを使用している。これによって、同調電圧に対する単同調フィルタ５２、６２や複同調フィルタ５４、６４そして局部発振器５６における同調部の同調電圧に対する同調周波数特性をそれぞれ近似させ易くできる。
【０１２５】
ここで、これら発振用可変容量ダイオード６９、可変容量ダイオード８４、８６、８９（図２）及び可変容量ダイオード９８、１０２、１０７（図３）には、ＶＨＦ放送帯域に対応する単同調フィルタ６２の同調周波数を変化させるために必要な可変容量ダイオード９８と同じ容量変化比を有するものを使用している。
【０１２６】
これは、ＶＨＦバンド、特にＶＨＦハイバンドに対して最も大きな容量変化比が必要となるためである。これによって発振用可変容量ダイオード６９、可変容量ダイオード８４、８６、８９（図２）及び可変容量ダイオード９８、１０２、１０７（図３）には全て同じ品番のものを使用することが出来るので、部品の管理は容易になる。また、部品装着時の部品間違いなどが生じ難くなる。
【０１２７】
また、本発明の実施の形態１においては、発振部７１、スイッチ７４と７７、分周器５７と６６、混合器５５と６５及びＰＬＬ回路７８とが１つのパッケージに集積された集積回路となっている。これにより、高周波受信装置を小型化することができる。
【０１２８】
さらに、この集積回路は、インダクタ６８の両端が接続する端子１２１と１２２、キャパシタ７２が接続する端子１２３とキャパシタ７３が接続する端子１２４とキャパシタ７５が接続する端子１２５とキャパシタ７６が接続する端子１２６を有している。そして、端子１２１と１２２との間に、端子１２３、１２４、１２５及び１２６を配置している。また、端子１２３と端子１２４は端子１２２に隣接して配置し、端子１２５と端子１２６は端子１２１に隣接して配置している。これにより、同調部を構成している可変容量ダイオード６９、インダクタ６８、キャパシタ７０、キャパシタ７２、キャパシタ７３、キャパシタ７５とキャパシタ７６の部品と集積化回路の端子１２１、端子１２２、端子１２３、端子１２４、端子１２５、端子１２６との接続が最短に配線することができ、不要な容量成分やインダクタ成分を低減して高品質設計が可能となる。
【０１２９】
（実施の形態２）
実施の形態２においてはＵＨＦ放送帯域の受信とＶＨＦ放送帯域の受信とを一つの混合器１３１で行っている。従って、小型化・低価格化に寄与するものである。以下、実施の形態２について説明する。なお、実施の形態１と同じものについては、同一符号を付して説明を簡略化している。
【０１３０】
図５は、実施の形態２における高周波受信装置のブロック図である。図５において、１３２はＵＨＦ放送帯域とＶＨＦ放送帯域の放送波が入力される入力端子である。そして、この入力端子１３２にはＵＨＦ放送帯域を通過させる単同調フィルタ５２と、高周波増幅器５３と、複同調フィルタ５４のこの順に接続された第１の直列接続体と、ＶＨＦ放送帯域を通過させる単同調フィルタ６２と、高周波増幅器６３と、複同調フィルタ６４のこの順に接続された第２の直列接続体とが並列に接続されている。
【０１３１】
そして、この並列接続体の出力は、集積回路１３３内に設けられた混合器１３１の一方の入力に接続されている。この混合器１３３の出力は中間周波フィルタ５８と中間周波増幅器１３４を介して出力端子１３５に接続されている。
【０１３２】
一方、混合器１３１の他方の入力には、切り替えスイッチ６７の出力が接続されている。また、この切り替えスイッチ６７の出力はＰＬＬ回路７８にも接続されている。なお、ＵＨＦ放送波受信時においては、分周器５７を省略することができる。すなわち、分周比を１にすることができる。
【０１３３】
また、ＶＨＦ放送帯域を通過させる単同調フィルタ６２と、高周波増幅器６３と、複同調フィルタ６４のこの順に接続された第２の直列接続体のみを使用して、ＵＨＦ放送帯域を通過させる第１の直列接続体を省略してＶＨＦ放送帯域専用の高周波受信装置を実現することもできる。
【０１３４】
なお、この実施の形態２における高周波受信装置の動作は、ＵＨＦ放送帯域とＶＨＦ放送帯域の混合を混合器１３１で行うことを除いて実施の形態１と同様である。
【０１３５】
本実施の形態における集積回路１３３には、混合器１３１と、切り替えスイッチ６７と、分周器５７、６６と、局部発振器５６の発振部と切り替えスイッチと、中間周波増幅器１３４が集積化されている。このように集積化されているので、小型・高性能化に寄与することができる。
【０１３６】
【発明の効果】
以上のように本発明によれば、局部発振器は、発振部と、この発振部の入力に接続される同調部とから成り、前記同調部は、発振用可変容量ダイオードと第１のキャパシタとの直列接続体と、この直列接続体に並列接続されたインダクタとを有し、ＰＬＬ回路は、第１の同調フィルタを形成する第１の可変容量ダイオードと、第２の同調フィルタを形成する第２の可変容量ダイオードと、前記発振用可変容量ダイオードへと同調電圧を供給し、受信するそれぞれの周波数帯域において、前記ＰＬＬ回路から供給される同調電圧に対する前記局部発振器の発振周波数特性を微小変化させて、前記第１の周波数帯域を受信する場合には、前記第１の同調フィルタの周波数特性に連動するとともに、前記第２の周波数帯域を受信する場合には、前記第２の同調フィルタの周波数特性に連動して、一定の周波数だけ高い局部発振信号を得る発振周波数変化手段を有するものである。
【０１３７】
これにより、局部発振器には、受信する受信帯域に応じて、第１の周波数帯域を受信する場合には、第１の同調フィルタの周波数特性に連動するとともに、第２の周波数帯域を受信する場合には、第２の同調フィルタの周波数特性に連動するように変化させる発振周波数変化手段を有しているので、同調電圧に対する局部発振器の発振周波数の範囲を広くすることができ、たとえ第１の周波数帯域と第２の周波数帯域との間のチャンネルが連続していたとしても受信することができる。従って、ＴＶ放送においては、連続するＶＨＦ放送帯域とＵＨＦ放送帯域の広帯域なチャンネルを受信できる高周波受信装置を実現することができる。
【図面の簡単な説明】
【図１】本発明の実施の形態１における高周波受信装置のブロック図
【図２】同、ＵＨＦ帯を受信する同調フィルタの回路図
【図３】同、ＶＨＦ帯を受信する同調フィルタの回路図
【図４】同、同調フィルタ及び局部発振器の受信チャンネルに対する同調電圧の特性図
【図５】同、本発明の実施の形態２における高周波受信装置のブロック図
【図６】同、従来の高周波受信装置のブロック図
【図７】同、混合器に供給される局部発振信号に対する同調電圧の特性図
【符号の説明】
５１  入力端子
５２  単同調フィルタ
５４  複同調フィルタ
５５  混合器
５６  局部発振器
５７  分周器
５９  出力端子
６０  ＵＨＦ信号受信器
６１  ＶＨＦ信号受信器
６２  単同調フィルタ
６４  複同調フィルタ
６５  混合器
６６  分周器
６８  インダクタ
６９  発振用可変容量ダイオード
７０  第１のキャパシタ
７１  発振部
７８  ＰＬＬ回路
【図１】
2005020136.tif 000004
【図２】
2005020136.tif 000005
【図３】
2005020136.tif 000006
【図４】
2005020136.tif 000007
【図５】
2005020136.tif 000008
【図６】
2005020136.tif 000009
【図７】
2005020136.tif 000010